(57)【要約】      （修正有）【課題】手の指の使い過ぎや全体重の掛かる足は、ＭＰ関節部と指に疲れ・違和感などの症状が現れ易い。この症状を予防する健康指向の動作及び日常動作などを支援出来る物がない事が問題点である。此の問題点に対してサポーターで予防し改善する事を目的とする。【解決手段】手又は足のＭＰ関節部全体を囲むループ部１と、親指と人差し指の間の指の付け根部に前記ループ部の廻りと交わる２点を連結する連結部を備えることを特徴として成る、ＭＰ関節サポーター１０及びＭＰ関節サポーター付き手袋並びに靴下及び靴。【選択図】図３
2020094288.tif 000002
【特許請求の範囲】
【請求項１】
手又は足のＭＰ関節部全体を囲むループ部と、親指と人差し指の間の指の付け根部に前記ループ部の廻りと交わる２点を連結する連結部を備えることを特徴として成る、ＭＰ関節サポーター。
【請求項２】
足の人差し指と小指の間の各指間の指の付け根部に少なくとも一つの前記ループ部の廻りと交わる２点を連結する補助連結部を備えることを特徴として成る、請求項１記載のＭＰ関節サポーター。
【請求項３】
請求項１記載のＭＰ関節サポーターが手袋に取り付けられて成る、ＭＰ関節サポーター付き手袋。
【請求項４】
請求項１記載又は請求項２記載のMＰ関節サポーターが靴下に取り付けられて成る、MＰ関節サポーター付き靴下。
【請求項５】
請求項１記載のＭＰ関節サポーターが靴に取り付けられて成る、ＭＰ関節サポーター付き靴。
【発明の詳細な説明】
【技術分野】
【０００１】
本発明は、ＭＰ関節サポーターに関する。
【背景技術】
【０００２】
従来の、関節サポーターは、特定の症状、例えば、腱鞘炎を防止することができるものが実用されている。しかし、その症状と原因が特定出来ていない予防的段階での、日常動作と健康指向の機能回復運動などの際に於いて、ＭＰ関節を保護して指の働きを支援するサポーターは無いと言う不都合な現実がある。
【先行技術文献】
【特許文献】
【０００３】
【特許文献１】ＷＯ２０１１／０９０１９２
【特許文献２】ＷＯ２０１１／０９０１９３
【発明の概要】
【発明が解決しようとする課題】
【０００４】
手の指の使い過ぎや全体重の掛かる足は、MＰ関節部と、指に疲労・違和感などの症状が現れ易い。そして、指が痛い、しびれる、指の変形、ウオーキングの速度・歩幅の減少、つまずく、など不健康に成る事の問題点は、日常動作、及び、健康指向の動作などを支援出来るサポーターが無い事による物である。
【課題を解決するための手段】
【０００５】
手又は足のＭＰ関節部全体を囲むループ部と、親指と人差し指の間の指の付け根部に前記ループ部の廻りと交わる２点を連結する連結部を備えることを特徴として成る、ＭＰ関節サポーター。
【０００６】
足の人差し指と小指の間の各指間の指の付け根部に少なくとも一つの前記ループ部の廻りと交わる２点を連結する補助連結部を備えることを特徴として成る、ＭＰ関節サポーター。
【０００７】
ＭＰ関節サポーターが手袋に取り付けられて成る、ＭＰ関節サポーター付き手袋。
【０００８】
ＭＰ関節サポーターが靴下に取り付けられて成る、MＰ関節サポーター付き靴下。
【０００９】
ＭＰ関節サポーターが靴に取り付けられて成る、ＭＰ関節サポーター付き靴。
【発明の効果】
【００１０】
本発明の、ＭＰ関節サポーターは、ＭＰ関節を保護する事により、指の動作をし易く、歩き易くなる為、日常動作及び健康指向の動作を支援出来る。並びに、指の障害に対する予防・改善及び足指の矯正の効果も得る。並びに、極めてシンプルで携帯も出来る、及び、多機能の効果を有して、使い易く、手袋・靴下などに取り付け易く、生産コスト・ランニングコストも、従来のサポーターより少ない利点がある。
【図面の簡単な説明】
【００１１】
【図１】本発明の手又は足のＭＰ関節サポーターの図。
【図２】本発明の手のＭＰ関節サポーターと力の図。
【図３】本発明の足のＭＰ関節サポーターと力の図。
【図４】本発明の足のＭＰ関節サポーター装着の図。
【図５】本発明のＭＰ関節サポーター付き手袋の図。
【図６】本発明のMＰ関節サポーター付き靴下の図。
【図７】本発明のMＰ関節サポーター付き靴の図。
【図８】（Ａ）手のＭＰ関節部を示す図。        （Ｂ）手のＭＰ関節部と靱帯を示す解剖図。
【図９】（Ａ）足のＭＰ関節部を示す図。        （Ｂ）足のＭＰ関節部と靱帯を示す解剖図。
【発明を実施するための形態】
【００１２】
本発明の、ＭＰ関節サポーター１０は、ＭＰ関節部全体を囲むループ部１と、親指と人差し指の間の指の付け根部に前記ループ部の廻りと交わる２点を連結する連結部４を備えることを特徴として、日常動作及び健康指向に於ける機能回復運動などの際に、支援出来ると言う目的を実現させた。
【００１３】
本発明の、ＭＰ関節サポーター１０を、図１で説明する。
ＭＰ関節サポーター１０は、手又は足のＭＰ関節部全体を囲むループ部１と、親指と人差し指の間の指の付け根部に前記ループ部１の廻りと交わる２点を連結する連結部４を備えることを特徴として成る。
このＭＰ関節サポーター１０のループ部１は、ＭＰ関節を囲み外側への開きを阻止出来る強さを持つ部材が必要である為、葛城（カツラギ）生地・綿のデニム（denim）地などの布地で、幅１センチメートル〜３センチメートル程度で、長さ２０センチメートル〜３０センチメートル程度で、連結部４は幅１センチメートル〜３センチメートル程度、長さ５センチメートル〜７センチメートル程度で又は幅１センチメートル程度、長さ１センチメートル程度、厚さ１ミリメートル程度、硬度３０〜５０程度のゴム材を用いて、手足のサイズに合わせて長さは其の余長を切除して、縫により成形されている。
又、ＭＰ関節サポーターの部材は、布地・紐・シート・合成繊維・革・ベルト・ロープ・糸・結束バンド・合成樹脂などの単独材、又は、複合材などから選んで使用して良い。又、成形法は、打ち抜き、縫製加工、編み製加工、射出成形などから選んで良い。
これらの部材、並びに、成形法は多くの中から選んだ方法で可能である事は言うまでも無い。
尚、ＭＰ関節サポーター１０の、サイズはＳ・Ｍ・Ｌなどに成形しても良い。又、ループ部１に、手足のサイズに合わせて、締めて結べる様に調整する結び目を設けても良い。尚、結び目に換えて接合部を設けて、其の部分を接合代として、縫・樹脂接着・面ファスナー・テープアジャスター・結び紐などを用いて手足のサイズに合わせる接合部を成形しても良い。
ＭＰ関節サポーター１０の、手への装着は、親指１５と人指し指１６でＭＰ関節サポーター１０を摘み、手指からＭＰ関節部２７に嵌め込む、この時、連結部４は親指と人指し指との間に位置する。そして、ＭＰ関節サポーター１０の手の平側とその甲側を交互に摘んで引き寄せながら、ＭＰ関節サポーター１０をＭＰ関節部２７にピッタリとつける。
又、足への装着は、ＭＰ関節サポーター１０の左右両端を摘んで開き足指から挿入して連結部４を足の親指と人指し指の間に嵌め込みながら、足のＭＰ関節部２８（図９参照）に嵌め込む、この時、連結部４は親指と人指し指との間に位置する。そして、ＭＰ関節サポーター１０の足の裏側とその甲側を交互に摘んで引き寄せながら足のＭＰ関節部２８（図９参照）にピッタリとつける。以上の様にＭＰ関節サポーター１０の装着は衣類の着用と同じ程度の手間で自身で出来る。
ＭＰ関節サポーター１０を装着すると、手のＭＰ関節部２７及び手指に、過剰に掛かる力（Ｐ、F、G）（図２参照）からＭＰ関節部２７を保護して、指の動作をし易くなる為の支援をする、及び、指の障害に対する予防・改善の効果も得る。
又、足のＭＰ関節部２８及び足指に、過剰に掛かる力（F、G、Ｐ）（図３参照）からＭＰ関節部２８を保護して、歩き易くなる為の支援をする。並びに、指の障害に対する予防・改善、及び、足指の矯正の効果も得る。
【００１４】
本発明の、ＭＰ関節サポーター１０を、手に装着した図２で説明する。
手のＭＰ関節部全体を囲むループ部１と、親指１５と人差し指１６の間の指の付け根部に前記ループ部１の廻りと交わる２点を連結する連結部４を備えることを特徴として成る、ＭＰ関節サポーター。
このＭＰ関節サポーター１０のループ部１は、ＭＰ関節部２７を囲み外側への開きを阻止出来る強さを持つ部材が必要である為、葛城（カツラギ）生地・綿のデニム（denim）地などの布地で、幅１センチメートル〜３センチメートル程度で、長さ２０センチメートル〜３０センチメートル程度で、連結部４は親指１５の動きが他指より大きいためにそれに追従でき、かつ連結力がいるので、幅１センチメートル程度、長さ１センチメートル程度、厚さ１ミリメートル程度、硬度３０〜５０程度のゴム材を用いて、手のサイズに合わせて其の長さは余長を切除して、縫により成形されている。尚、前記ループ部１と連結部４が交わる２点の部材は連結部４と同一の部材とする。又は、ＭＰ関節サポーター１０の全体を前記ゴム材の単一部材で成形しても良い。
尚、前記、布・ゴム材に換えて、紐・ベルト・ロープ・結束バンドなどを用いる場合は、先ず親指部と人指し指〜小指部の２つにループ部１を区分して成形する、そして、２つに区分したループ部をゴム材を用いた連結部４で連結する、これにより１つのループ部１として作用する手のＭＰ関節サポーター１０を成形出来る。
これらの部材、並びに、成形法は多くの中から、選んだ方法で可能である事は言うまでも無い。
尚、ＭＰ関節サポーター１０の、サイズはＳ・Ｍ・Ｌなどに成形しても良い。又、ループ部１と連結部４を、手のサイズに合わせて締めて結べる様に調整する結び目１４を設けているが、此れは無くても良い。尚、結び目に換えて接合部を設けて、其の部分を接合代として、縫・樹脂接着・面ファスナー・テープアジャスター・結び紐などを用いて接合部を成形しても良い。
ＭＰ関節サポーター１０の装着は、親指１５と人指し指１６でＭＰ関節サポーター１０を摘み、手指からＭＰ関節部２７に嵌め込む、この時、連結部４は親指と人指し指との間に位置する。そして、ＭＰ関節サポーター１０の手の平側とその甲側を交互に摘んで引き寄せながら、ＭＰ関節サポーター１０をＭＰ関節部２７にピッタリとつける。以上の様にＭＰ関節サポーター１０の装着は衣類の着用と同じ程度の手間で自身で出来る。
ＭＰ関節サポーター１０の働きを図２で説明する。
例えば、マッサージ時に指先で摘む方向の力P、突く方向の力Ａは手のＭＰ関節部２０、２１（図８参照）に伝わり力F、力Gとなる、この力Fと力ＧはＭＰ関節を外側へ開けようとする力である。ＭＰ関節サポーター１０がＭＰ関節部２７を囲みＭＰ関節に過剰に掛かる力（F、G）から保護して、ＭＰ関節の外側への開きを抑制する。前記、抑制によりＭＰ関節サポーター１０内には、張力Ｔと、それによる押え圧（力F、力Gに対する反力の意）が発生して、さらにＭＰ関節を開けようとする力（F、G）から保護して、ＭＰ関節の外側への開きを抑制すると、手指の疲労・違和感が和らいで、指の動作をし易くなる為の支援となる、並びに、指の障害に対する予防・改善の効果を得る。
尚、手のＭＰ関節サポーター１０は、ＭＰ関節部２７及び手指に、過剰に掛かる力（F、G、Ｐ）（図２参照）からＭＰ関節部２７を保護して、指の動作をし易くなる為の支援をする、及び、指の障害に対する予防・改善の効果も得る。
ＭＰ関節サポーター１０を装着すると、靱帯２３、２４（図８参照）とが連結されて無い親指１５もＭＰ関節サポーター１０が連結の役目を補って親指１５のＭＰ関節部２０（図８参照）に過剰に掛かる力（F、G）を分担して保護するので、腱鞘炎を起こしにくくなる。並びに、手指の疲労・違和感が和らいで、指の動作をし易くなる為の支援となる、及び、指の障害に対する予防・改善の効果も得る。
【００１５】
本発明の、ＭＰ関節サポーター１０を足に装着した図３で説明する。
ＭＰ関節サポーター１０は、足のＭＰ関節部２８（図９参照）全体を囲むループ部１と、足の親指４５と人差し指４６の間の指の付け根部に前記ループ部の廻りと交わる２点を連結する連結部４を備えることを特徴として成る。
このＭＰ関節サポーター１０のループ部１は、ＭＰ関節を囲み外側への開きを阻止出来る強さを持つ部材が必要である為、葛城（カツラギ）生地・綿のデニム（denim）地などの布地で、幅２センチメートル〜３センチメートル程度で、長さ２０センチメートル〜３０センチメートル程度で、連結部４は幅１センチメートル〜３センチメートル程度、長さ５センチメートル〜７センチメートル程度で、足のサイズに合わせて其の長さは余長を切除して、縫により成形されている。
又、ＭＰ関節サポーターの部材は、上記の部材に換えて、布地・紐・シート・合成繊維・革・ベルト・ロープ・糸・結束バンド・合成樹脂などの単独材、又は、複合材などから選んで使用して良い。又、成形法は上記の縫に換えて、打ち抜き、縫製加工、編み製加工、射出成形などから選んで良い。
これらの部材、並びに、成形法は多くの中から、選んだ方法で可能である事は言うまでも無い。
尚、ＭＰ関節サポーター１０の、サイズはＳ・Ｍ・Ｌなどに成形しても良い。又、ループ部１のサイズを、締めて結べる様に調整する結び目を設けても良い。尚、結び目に換えてループ部１に接合部を設けて、其の部分を接合代として、縫・樹脂接着・面ファスナー・テープアジャスター・結び紐などで、足のサイズに合わせる接合部を成形しても良い。
ＭＰ関節サポーター１０の装着は、ＭＰ関節サポーター１０の左右両端を摘んで開き足指から挿入して連結部４を足の親指４５と人指し指４６の間に嵌め込みながら、足のＭＰ関節部２８（図９参照）に嵌め込む、この時、連結部４は親指と人指し指との間に位置する。そして、ＭＰ関節サポーター１０の足の裏側とその甲側を交互に摘んで引き寄せながら足のＭＰ関節部２８（図９参照）にピッタリとつける。以上の様にＭＰ関節サポーター１０の装着は衣類の着用と同じ程度の手間で自身で出来る。
ＭＰ関節サポーター１０を装着した図３で其の働きを説明する。
例えば、ウオーキングで足を踏み出す時の指先には鉛直方向に力Pが掛かる、そして、足のＭＰ関節部２８（図９参照）に伝わりＭＰ関節を外側へ開けようとする力F、力Ｇとなる。ＭＰ関節サポーター１０は、ＭＰ関節に過剰に掛かる力（F、G）から保護して、ＭＰ関節の外側への開きを抑制する。前記、抑制によりＭＰ関節サポーター内には張力Ｔと、それによる押え圧（力F、力Gに対する反力の意）が発生して、さらにＭＰ関節の外側への開きを抑制すると、足指の疲労・違和感などが和らいで、歩き易くなる為の支援となる、並びに、指の障害に対する予防・改善、及び、連結部４の作用による足の親指４５の内側への変形の矯正の効果も得る。
尚、足のＭＰ関節サポーター１０は、ＭＰ関節部２８及び足指に、過剰に掛かる力（F、G、Ｐ）（図３参照）からＭＰ関節部２８を保護して、歩き易くなる為の支援をする。及び、指の障害に対する予防・改善、並びに、足指の矯正の効果も得る。
ＭＰ関節サポーター１０を装着すると、ＭＰ関節サポーター１０が、ＭＰ関節部２８及び足指に、過剰に掛かる力（F、G、Ｐ）（図３参照）からＭＰ関節部２８を保護して、歩き易くなる為の支援をする。並びに、指の障害に対する予防・改善、及び、連結部４の作用による足の親指４５の内側への変形の矯正の効果も得る。並びに、日常動作と健康指向（立ち仕事・炊事・体操・ウオーキング・片足立ちのバランストレーニング）などの際に指の力と持久力の向上の効果も得る。
【００１６】
本発明の、ＭＰ関節サポーター１０を図４で説明する。
ＭＰ関節サポーター１０は、足のＭＰ関節部２８（図９参照）全体を囲むループ部１と、足の親指４５と人差し指４６の間の指の付け根部に前記ループ部の廻りと交わる２点を連結する連結部４を備える、及び足の人差し指４６と小指４９の間の各指間の指の付け根部に少なくとも一つの前記ループ部の廻りと交わる２点を連結する補助連結部５、６、７を備えることを特徴として成る。
このＭＰ関節サポーター１０のループ部１は、ＭＰ関節を囲み外側への開きを阻止出来る強さを持つ部材が必要である為、葛城（カツラギ）生地・綿のデニム（denim）地などの布地で、幅２センチメートル〜３センチメートル程度、長さ２０センチメートル〜３０センチメートル程度で、連結部４は幅２センチメートル〜３センチメートル程度、長さ６センチメートル〜７センチメートル程度で補助連結部５は幅１センチメートル〜２センチメートル程度、補助連結部６及び７は幅１センチメートル程度、長さ６センチメートル〜７センチメートルの布地を用いて、足のサイズに合わせて余長は切除して、縫により成形されている。
ＭＰ関節サポーター１０には、各指の間の間隔を確保する為にパッドを連結部４と補助連結部５、６、７に取り付けている、此のパッドも各指の間の間隔を保持して指間に作用し矯正の効果を得る、これは設け無くても良い。尚、ＭＰ関節サポーター１０の、サイズはＳ・Ｍ・Ｌなどに成形しても良い。又、足のサイズに合わせて調整できるように、ＭＰ関節サポーター１０のループ部１に締めて結べる様に調整する結び目１４を設けているが、これは設け無くても良い。尚、結び目１４に換えて接合部を設けて、其の部分を接合代として、縫・樹脂接着・面ファスナー・テープアジャスター・結び紐などを用いて足のサイズに合わせる様、ループ部１に接合部を成形しても良い。
ＭＰ関節サポーター１０の装着は、ＭＰ関節サポーター１０の左右両端を摘んで開き足指から挿入して連結部４と補助連結部５、６、７を足の親指４５〜小指４９の間の各指間に嵌め込みながら、ＭＰ関節サポーター１０を足のＭＰ関節部２８（図９参照）に嵌め込む、この時、連結部４は親指４５と人指し指４６との間に位置する。そして、ＭＰ関節サポーター１０の足の裏側とその甲側を交互に摘んで引き寄せながら足のＭＰ関節部２８（図９参照）にピッタリとつける。以上の様にＭＰ関節サポーター１０の装着は衣類の着用と同じ程度の手間で自身で出来る。
ＭＰ関節サポーター１０を装着すると、ＭＰ関節サポーター１０が、ＭＰ関節部２８（図９参照）の廻りを囲みＭＰ関節に過剰に掛かる力（F、G）（図３参照）から保護して、ＭＰ関節の外側への開きを抑制すると、足指の疲労・違和感などが和らいで、歩き易くなる為の支援となる。及び、指の障害に対する予防・改善、並びに、連結部４の作用による足の親指４５の内側への変型の矯正、補助連結部５の作用による足の小指４９の内側への変型の矯正、及び、補助連結部６、７の作用による足の薬指４８中指４７人差し指４６の各指間の幅の狭小を広げる矯正の効果も得る。
並びに、連結部４と補助連結部５、６、７の幅（１センチメートル〜３センチメートル程度）の大小を指間で摘む挟む開くなどして、その効果があるので指の力の向上と各指間がより開く為に、外反母趾・小指の内側への変型・指間が狭小の矯正と体のバランス感覚の向上の効果を得る。及び、日常動作と健康指向（立ち仕事・炊事・体操・ウオーキング・片足立ちのバランストレーニング）などの際に指の力と持久力の向上の効果も得る。
【００１７】
本発明の、ＭＰ関節サポーター付き手袋１１を装着した図５で説明する。ＭＰ関節サポーター付き手袋１１は、手のＭＰ関節サポーター１０（図２参照）が手袋３６の所定位置に取り付けられて成る。前記、所定位置とは、手袋３６を手にピッタリとつけた状態での手のＭＰ間接部２７（図８参照）に相当する部分を所定位置と言う。
ＭＰ関節サポーター付き手袋１１に於ける、手のＭＰ関節サポーター１０
の取り付けは、手袋３６の所定位置から斜めに針で糸を通して螺旋状に手のＭＰ関節サポーター１０の端部の廻りを巻くように縫して取り付けている。
なお、手袋３６への手のＭＰ関節サポーター１０の取り付けは、糸による縫合に換えて、樹脂接着としても良い。尚、ＭＰ関節サポーター１０の、サイズはＳ・Ｍ・Ｌなどに成形しても良い。又、手のサイズに合わせて、調整できるようにＭＰ関節サポーター付き手袋１１のループ部１と連結部４に締めて結べる様に調整する結び目１４を設けているが、これは設け無くても良い。尚、結び目１４に換えて接合部を設けて、其の部分を接合代として、縫・樹脂接着・面ファスナー・テープアジャスター・結び紐などを用いて、手のサイズにあわせる接合部を成形しても良い。
又、手袋３６が糸で編んで製造される場合は、その工程の中で、所定位置に糸の種類を換えて編み込んで、手のＭＰ関節サポーター１０を成型しても良い。
ＭＰ関節サポーター付き手袋１１の装着は、ＭＰ関節サポーター付き手袋１１の手の挿入口の手の平側とその甲側を交互に摘んで引き寄せて手に付けながらループ部１を手のＭＰ関節部２７（図８参照）に嵌め込む、この時、連結部４は親指１５と人指し指１６との間に位置する。そして、手の挿入口の小指１９側と親指１５側を交互に摘んで引き寄せながら、ＭＰ関節サポーター付き手袋１１のループ部１を手のＭＰ関節部２７（図８参照）にピッタリとつける。以上の様にＭＰ関節サポーター付き手袋１１の装着は衣類の着用と同じ程度の手間で自身で出来る。
ＭＰ関節サポーター付き手袋１１を装着すると、靱帯２３、２４（図８参照）とが連結されて無い親指１５もＭＰ関節サポーター付き手袋１１が連結の役目を補うので親指１５のＭＰ関節に過剰に掛かる力（F、G）（図２参照）を分担して保護する為に、腱鞘炎を起こしにくくなる。及び、手指の疲労・違和感が和らいで、指の動作をし易くなる為の支援となる、並びに、指の障害に対する予防・改善の効果も得る。
ＭＰ関節サポーター付き手袋１１が、着用者のＭＰ関節部２７（図８参照）の廻りを囲みＭＰ関節に過剰に掛かる力（F、G）（図２参照）から保護して、ＭＰ関節の外側への開きを抑制すると、手指の疲労・違和感が和らいで、指の動作をし易くなる為の支援となる、及び、指の障害に対する予防・改善の効果を得る。
又、産業上の利用可能性として、ＭＰ関節サポーター付き薄いゴム手袋は入浴介護業者用及びマッサージ業者用として。ＭＰ関節サポーター付き厚いゴム手袋は除草などの作業者用として。ＭＰ関節サポーター付き指露出のグリップ力向上のための手袋は手の保護や重荷の作業者用として。以上の様に手袋にＭＰ関節サポーター１０を取り付けると両者の利点、及び、効果を合わせ持つ物と成り、産業の各種用途に適用する事が可能である。
【００１８】
本発明の、ＭＰ関節サポーター付き靴下１３を装着した図６で説明する。ＭＰ関節サポーター付き靴下１３は、足のＭＰ関節サポーター１０（図４参照）が、指露出の靴下３７の所定位置に取り付けられて成る。前記、所定位置とは、靴下３７を履いた状態での足のＭＰ間接部２８（図９参照）に相当する部分を所定位置と言う。
MＰ関節サポーター付き靴下１３に於ける、足のMＰ関節サポーター１０（図４参照）の靴下３７への取り付けは、所定位置から斜めに針で糸を通して螺旋状に足のＭＰ関節サポーター１０の端部の廻りを巻くように縫して取り付けられている。
なお、靴下３７への足のMＰ関節サポーター１０の取り付けは、糸による縫合に換えて樹脂接着としても良い。又、ＭＰ関節サポーター１０の、サイズはＳ・Ｍ・Ｌなどに成形しても良い。尚、足のサイズに合わせて調整できるように、ＭＰ関節サポーター付き靴下１３のループ部１に、締めて結べる様に調整する結び目１４を設けているが、これは設け無くても良い。尚、結び目１４に換えて接合部を設けて、其の部分を接合代として、縫・樹脂接着・面ファスナー・テープアジャスター・結び紐などを用いて足のサイズに合わせる様に接合部を成形しても良い。
又、靴下３７が糸で編んで製造される場合は、その工程の中で、所定位置に、糸の種類を換えて編み込んで、足のＭＰ関節サポーター１０を成型しても良い。  
MＰ関節サポーター付き靴下１３の装着は、ＭＰ関節サポーター付き靴下１３の足の挿入口の左右両側を交互に摘んで引き寄せながら足指から挿入して、連結部４と補助連結部５、６、７を足の親指４５〜小指４９の間の各指間に嵌め込みながら、ＭＰ関節サポーター付き靴下１３のループ部１を足のＭＰ関節部２８（図９参照）に嵌め込んで履く、この時、連結部４は親指と人差し指の間に位置する。そして、ＭＰ関節サポーター付き靴下１３の足の裏側とその甲側を交互に摘んで引き寄せながら、ＭＰ関節サポーター付き靴下１３のループ部１を足のＭＰ関節部２８（図９参照）にピッタリと履く。以上の様にＭＰ関節サポーター付き靴下１３の装着は衣類の着用と同じ程度の手間で自身で出来る。
MＰ関節サポーター付き靴下１３を装着すると、ＭＰ関節サポーター付き靴下１３が、着用者のＭＰ関節部２８（図９参照）の廻りを囲みＭＰ関節に過剰に掛かる力（F、G）（図３参照）から保護して、ＭＰ関節の外側への開きを抑制すると、足指の疲労・違和感が和らいで、歩き易くなる為の支援となる。及び、指の障害に対する予防・改善、並びに、連結部４の作用による足の親指４５の内側への変型の矯正、補助連結部５による足の小指４９の内側への変型の矯正、及び、補助連結部６、７による足の薬指４８中指４７人差し指４６の各指間の幅の狭小を広げる矯正の効果を得る。並びに、連結部４と補助連結部５、６、７の幅（１センチメートル〜３センチメートル程度）の大小を各指間で摘む挟む開くなどをして、その効果があるので指の力の向上と各指間が開く為に、外反母趾・小指の内側への変型・指間が狭小の矯正、及び、体のバランス感覚の向上の効果を得る。並びに、要介護者が指の感覚を養う訓練も出来る。及び、日常動作と健康指向（立ち仕事・炊事・体操・ウオーキング・片足立ちのバランストレーニング）などの際に指の力と持久力の向上の効果も得る。
【００１９】
本発明の、ＭＰ関節サポーター付き靴１２を図７で説明する。ＭＰ関節サポーター付き靴１２は、足のＭＰ関節サポーター１０（図３参照）が、靴３８の所定位置に取り付けられて成る。前記、所定位置とは、靴３８を履いた状態での足のＭＰ間接部２８（図９参照）に相当する部分を所定位置と言う。
MＰ関節サポーター付き靴１２に於ける、足のMＰ関節サポーター１０（図３参照）の靴３８への取り付けは、足の挿入口からMＰ関節サポーター１０を靴の中の所定位置に挿入して、その左の端部を靴の左側の挿通口から引き出す、又右の端部を靴の右側の挿通口から引き出して、左右２つの挿通口から出ているMＰ関節サポーター１０の端部を結び合わせて取り付けられている。
なお、ＭＰ関節サポーター付き靴１２に於ける、靴３８の挿通口の廻りの補強は金属・樹脂部材などで磨耗に強ければ良い。尚、ＭＰ関節サポーター１０の、サイズはＳ・Ｍ・Ｌなどの大小に成形しても良い。又、足のサイズに合わせて調整できるように、ＭＰ関節サポーター付き靴１２のループ部１に、締めて結べる様に調整する結び目１４を設けている。尚、結び目１４に換えて接合部を設けて、其の部分を接合代として、縫・樹脂接着・面ファスナー・テープアジャスター・結び紐などを用いて、ループ部１のサイズを足に合わせる様に接合部を、靴３８の挿通口の外側で成形しても良い。
又、靴３８が工場で製造される場合は、その工程の中で、足のサイズに合わせて調整できるようにしたMＰ関節サポーター１０を、所定位置に入れ込んで樹脂接着などにより、足のＭＰ関節サポーター付き靴１２を成型しても良い。  
MＰ関節サポーター付き靴１２の装着は、ＭＰ関節サポーター付き靴１２の足の挿入口へ足指から足を挿入して、連結部４を足の親指４５〜人指し指４６の間に嵌め込んで、左右２つの挿通口から出ているループ部１の両端部を、交互に引っ張って、ＭＰ関節サポーター付き靴１２のループ部１を足のＭＰ関節部２８（図９参照）にピッタリと履く。この時、連結部４は親指と人差し指の間に位置する。以上の様にＭＰ関節サポーター付き靴１２の装着は衣類の着用と同じ程度の手間で自身で出来る。
MＰ関節サポーター付き靴１２を装着すると、ＭＰ関節サポーター付き靴１２が、着用者のＭＰ関節部２８（図９参照）の廻りを囲みＭＰ関節に過剰に掛かる力（F、G）（図３参照）から保護して、ＭＰ関節の外側への開きを抑制すると、足指の疲労・違和感が和らいで、歩き易くなる為の支援となる。並びに、指の障害に対する予防・改善、及び、連結部４の作用による足の親指４５の内側への変型の矯正の効果を得る。
【００２０】
図８（Ａ）、（B）を用いて手のＭＰ関節と靱帯を、説明する。
図８（B）に示す手のＭＰ関節部２７の靭帯２３、２４は、手の人差し指１６〜小指１９の付け根のＭＰ関節部２１は其の各指間を靭帯２４が連結しているが、親指１５のMＰ関節部２０の靭帯２３は人差し指１６側のＭＰ関節部２１の靭帯２４とは連結されていない、此の靭帯２３、２４とが、靭帯による連結がなされて無い、この為、親指１５は他の指に比べて外側へ向けて開ける力をもろに受けるので疲労し易く、腱鞘炎を起こし易いと言う問題点がある。
そこで、本発明の、ＭＰ関節サポーター１０が、連結されて無い靱帯２３、２４とに変わって連結の役目を補なって親指のＭＰ関節部２０に過剰に掛かる力（F、G）（図２参照）を分担し、親指のＭＰ関節部２０を外側に向けて開ける力（F、G）（図２参照）から保護し、其の、親指の外側への開きを抑制すると、腱鞘炎を起こしにくくなる。及び、手指の疲労・違和感が和らいで、指の動作をし易くなる為の支援となる、並びに、指の障害に対する予防・改善の効果も得る。
尚、手のＭＰ関節サポーター１０は、ＭＰ関節部２７及び手指に、過剰に掛かる力（Ｐ、F、G）（図４参照）からＭＰ関節部２７を保護して、指の動作をし易くなる為の支援をする、及び、指の障害に対する予防・改善の効果も得る。
【００２１】
図９（Ａ）、（B）を用いて足のＭＰ関節と靱帯を、説明する。
例えば、力（Ｐ）（図３参照）は鉛直方向に足の指先に働き、そして、足のＭＰ関節部２８、靭帯２５に作用する。この力（Ｐ）の作用と体重の重力が働く、足のＭＰ関節部２８が、指先に比べて、疲労し易い部分である。その症状は歩行時、足指に疲労・違和感として現れる。そして、外反母趾・小指の内側への変型・指間が狭小などによって体のバランス感覚の衰えが始まり、ウオーキングの速度・歩幅の減少、つまずく、など不健康に成る問題点は、日常動作及び健康指向の動作を支援出来るサポーターが無い事による物である。そこで、本発明の、足のＭＰ関節サポーター１０が、ＭＰ関節部２８及び足指に、過剰に掛かる力（F、G、Ｐ）（図３参照）からＭＰ関節部２８を保護すると、歩き易くなる為の支援となる。及び、指の障害に対する予防・改善、並びに、足指の矯正の効果も得る。
【符号の説明】
【００２２】
１  手又は足のＭＰ関節部全体を囲むループ部。
４  手又は足の親指と人差し指の間の連結部。
５  足の小指と薬指の間の補助連結部。
６  足の薬指と中指の間の補助連結部。
７  足の中指と人指し指の間の補助連結部。
１０  ＭＰ関節サポーター。
１１  ＭＰ関節サポーター付き手袋。
１２  MＰ関節サポーター付き靴。
１３  MＰ関節サポーター付き靴下。
２０  親指のＭＰ関節部。
２１  人差し指〜小指の間のＭＰ関節部。
２７  手のＭＰ関節部。
２８  足のＭＰ関節部。
３６  手袋。
３７  靴下。
３８  靴。
３９  挿通口。
【図１】
2020094288.tif 000003
【図２】
2020094288.tif 000004
【図３】
2020094288.tif 000005
【図４】
2020094288.tif 000006
【図５】
2020094288.tif 000007
【図６】
2020094288.tif 000008
【図７】
2020094288.tif 000009
【図８】
2020094288.tif 000010
【図９】
2020094288.tif 000011
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
手のＭＰ関節部全体を囲むループ部と、親指と人差し指の間の指の付け根部に前記ループ部の廻りと交わる２点を連結する連結部を備えたＭＰ関節サポーターが手袋に取り付けられていることを特徴とする、ＭＰ関節サポーター。
【請求項２】
足のＭＰ関節部全体を囲むループ部と、親指と人差し指の間の指の付け根部に前記ループ部の廻りと交わる２点を連結する連結部を備えたＭＰ関節サポーターが靴に取り付けられていることを特徴とする、ＭＰ関節サポーター。
【請求項３】
足の人差し指と小指の間の指の付け根部の各指間に少なくとも一つの前記ループ部の廻りと交わる２点を連結する補助連結部を備えることを特徴として成る、請求項２記載のＭＰ関節サポーター。